(57)【要約】【課題】波長パスの切替のトリガとなるトラヒックの変動を特定のパターンに置き換えて伝送する波長パス交換用トラヒックパターン変更装置および波長パス交換用トラヒックパターン変更方法を提供することを目的とする。【解決手段】入力トラヒックのトラヒック量を検出し、該入力トラヒック量と予め記憶された閾値とを比較して、入力トラヒックパターンを所定のトラヒックパターンに変更し、次に、トラヒックデータから所定のトラヒックパターンを抽出し、該所定のトラヒックパターンを抽出したときに、追加パスの割付と波長パスの交換の制御を行う波長パス交換用トラヒックパターン変更装置を提供する。【選択図】      図１
2004266451.tif 000002
【特許請求の範囲】
【請求項１】
波長分割多重伝送方式により複数のトラヒックを複数の波長パスに割り付けて多重伝送する光通信ネットワークに用いられる波長パス交換用トラヒックパターン変更装置であって、
入力トラヒックのトラヒック量を検出するトラヒック量検出手段と、
該入力トラヒック量に対する閾値を記憶する閾値記憶手段と、
該閾値と前記入力トラヒック量とを比較して、入力トラヒックパターンを所定のトラヒックパターンに変更するトラヒックパターン変更手段と、
トラヒックデータから前記所定のトラヒックパターンを抽出するトラヒックパターン抽出手段と、
該所定のトラヒックパターンを抽出したときに、追加パスの割付を制御するパス割付制御手段と、該パス割付制御手段の制御に従って波長パスの交換を行う波長パス交換手段とを有する波長パス交換用トラヒックパターン変更装置。
【請求項２】
波長分割多重伝送方式により複数のトラヒックを複数の波長パスに割り付けて多重伝送する光通信ネットワークに用いられる波長パス交換用トラヒックパターン変更装置であって、
トラヒックデータから前記所定のトラヒックパターンを抽出するトラヒックパターン抽出手段と、
該所定のトラヒックパターンを抽出したときに、追加パスの割付を制御するパス割付制御手段と、該パス割付制御手段の制御に従って波長パスの交換を行う波長パス交換手段とを有する波長パス交換用トラヒックパターン変更装置。
【請求項３】
前記トラヒックパターン変更手段が入力したトラヒックデータ内のパケットを保持するバッファを備えるとともに、該パケットを所定の間隔で出力してトラヒックパターンを変更する請求項１に記載された波長パス交換用トラヒックパターン変更装置。
【請求項４】
前記トラヒックパターン変更手段が所定の特殊な構成を有するパケットを記憶する特殊パケット記憶手段を備えるとともに、入力したトラヒックに該特殊パケット記憶手段に記憶された特殊な形態を有するパケットを付加して出力する請求項１に記載された波長パス交換用トラヒックパターン変更装置。
【請求項５】
波長分割多重伝送方式により複数のトラヒックを複数の波長パスに割り付けて多重伝送する光通信ネットワークに用いられる波長パス交換用トラヒックパターン変更方法であって、
入力トラヒックのトラヒック量を検出し、該入力トラヒック量と予め記憶された閾値とを比較して、入力トラヒックパターンを所定のトラヒックパターンに変更する第１のステップと、
トラヒックデータから所定のトラヒックパターンを抽出し、該所定のトラヒックパターンを抽出したときに、追加パスの割付を制御する第２のステップと、
該追加パス割付制御に従って波長パスの交換を行う第３のステップとを有する波長パス交換用トラヒックパターン変更方法。
【請求項６】
前記所定のトラヒックパターンが、入力したトラヒックデータ内のパケットを一時保持した後、該パケットを所定の間隔で出力することにより形成される請求項５に記載された波長パス交換用トラヒックパターン変更方法。
【請求項７】
前記所定のトラヒックパターンが、予め記憶された所定の特殊な構成を有するパケットを入力トラヒックに付加することにより形成される請求項５に記載された波長パス交換用トラヒックパターン変更方法。
【発明の詳細な説明】
【０００１】
【発明の属する技術分野】
本発明は、波長分割多重伝送方式（ＷＤＭ：Ｗａｖｅｌｅｎｇｔｈ  Ｄｅｖｉｓｉｏｎ  Ｍｕｌｔｉｐｌｅｘｉｎｇ）を採用した光通信ネットワーク（ＷＤＭ網）における波長パス交換用トラヒックパターン変更装置および波長パス交換用トラヒックパターン変更方法に関する。
【０００２】
【従来の技術】
従来の波長パス交換ノード装置は、複数の自ノード収容装置（例えば、ＩＰルータ）からＷＤＭ網に出力すべきトラヒックを監視し、この監視結果に基づいて波長パスの割付を自律的に制御している（例えば、特許文献１参照）。そして、ＷＤＭ網において、一対の波長パス交換ノード装置により、シグナリングを行わずに、その対向する区間の波長パスを動的に追加及び削除することがなされている。これにより、シグナリングに要する構成が簡略化できるとともに、統計多重効果による波長使用効率の向上が図られている。また、複数区間に渡り設定される波長パスについては、一対の波長パス交換ノード装置をタンデムに接続することによって対応している。
【０００３】
【特許文献１】
特開２００１−３３３０４５号公報（第２−４頁、第１図）
【０００４】
【発明が解決しようとする課題】
しかしながら、上述の如く、従来の波長パス交換ノード装置においては、トラヒック量の増減を基に、送信側および受信側ノードが非同期で、しかもシグナリングを行うことなく、動的に波長パスの設定および解放を行い、統計多重効果を期待するものであったため、送受信側ノードにおける波長パスの切替動作のトリガは、一定時間内に観測されたトラヒック量や転送されるパケットの有無などであった。また、これらのトリガは、トラヒックが各種通信機器を通過した際のパターンをそのまま用いていた。
【０００５】
しかし、上記方式においては、送受信側ノード間でシグナリングを行わず、しかも、それらが非同期で動作していることから、波長パスの切替動作のためのトリガ検出に際して、両ノード間が異なる挙動をとる可能性がある。つまり、一定時間内のトラヒック量が規定のスレッショルドを上回る（あるいは、下回る）ことを検出して、波長パスを追加（または、削除）するためのトリガとする場合を考えてみると、送受信側のノードで観測周期の同期がとれないパス間での伝送遅延差あるいはパス内での伝送遅延揺らぎなどが要因となって、送受信側の双方で同一のトラヒックを観測していても、一方では波長パスの追加や削除のトリガを検出し、もう一方では、これらが検出されないといった状況が発生する可能性がある。
【０００６】
そこで、本発明は、上述した問題点に鑑みてなされたものであって、波長パスの切替のトリガとなるトラヒックの変動を特定のパターンに置き換えて伝送する波長パス交換用トラヒックパターン変更装置および波長パス交換用トラヒックパターン変更方法を提供することを目的とする。
【０００７】
【課題を解決するための手段】
前記課題を解決するため、本発明は、以下の手段を提案している。
請求項１に係る発明は、波長分割多重伝送方式により複数のトラヒックを複数の波長パスに割り付けて多重伝送する光通信ネットワークに用いられる波長パス交換用トラヒックパターン変更装置であって、入力トラヒックのトラヒック量を検出するトラヒック量検出手段と、該入力トラヒック量に対する閾値を記憶する閾値記憶手段と、該閾値と前記入力トラヒック量とを比較して、入力トラヒックパターンを所定のトラヒックパターンに変更するトラヒックパターン変更手段と、トラヒックデータから前記所定のトラヒックパターンを抽出するトラヒックパターン抽出手段と、該所定のトラヒックパターンを抽出したときに、追加パスの割付を制御するパス割付制御手段と、該パス割付制御手段の制御に従って波長パスの交換を行う波長パス交換手段とを有する波長パス交換用トラヒックパターン変更装置を提案している。
【０００８】
また、請求項５に係る発明は、波長分割多重伝送方式により複数のトラヒックを複数の波長パスに割り付けて多重伝送する光通信ネットワークに用いられる波長パス交換用トラヒックパターン変更方法であって、入力トラヒックのトラヒック量を検出し、該入力トラヒック量と予め記憶された閾値とを比較して、入力トラヒックパターンを所定のトラヒックパターンに変更する第１のステップと、トラヒックデータから所定のトラヒックパターンを抽出し、該所定のトラヒックパターンを抽出したときに、追加パスの割付を制御する第２のステップと、該追加パス割付制御に従って波長パスの交換を行う第３のステップとを有する波長パス交換用トラヒックパターン変更方法を提案している。
【０００９】
これらの発明によれば、入力トラヒック量と予め設定された閾値を比較して、その結果に基づいて、入力トラヒックパターンを所定のトラヒックパターンに変更するとともに、トラヒックから前記所定のトラヒックパターンを抽出して、追加パスの割付および波長パスの交換を行うこととしたことから、特に、トラヒックパターン変更手段と、パス割付制御手段および波長パス交換手段とが別々の装置に搭載されている場合においても、波長パス切替におけるトリガ検出の不整合を防止することができる。
【００１０】
請求項２に係る発明は、波長分割多重伝送方式により複数のトラヒックを複数の波長パスに割り付けて多重伝送する光通信ネットワークに用いられる波長パス交換用トラヒックパターン変更装置であって、トラヒックデータから前記所定のトラヒックパターンを抽出するトラヒックパターン抽出手段と、該所定のトラヒックパターンを抽出したときに、追加パスの割付を制御するパス割付制御手段と、該パス割付制御手段の制御に従って波長パスの交換を行う波長パス交換手段とを有する波長パス交換用トラヒックパターン変更装置を提案している。
【００１１】
この発明によれば、受信側波長パス交換ノード装置は、トラヒック量の増減を伝送されてくるトラヒック内のパターンを検出することにより認知できるため、送信側と受信側とで、波長パスの切替に関するトリガの検出において不整合を生じることがない。
【００１２】
請求項３に係る発明は、請求項１に記載された波長パス交換用トラヒックパターン変更装置について、前記トラヒックパターン変更手段が入力したトラヒックデータ内のパケットを保持するバッファを備えるとともに、該パケットを所定の間隔で出力してトラヒックパターンを変更する波長パス交換用トラヒックパターン変更装置を提案している。
【００１３】
また、請求項６に係る発明は、請求項５に記載された波長パス交換用トラヒックパターン変更方法について、前記所定のトラヒックパターンが、入力したトラヒックデータ内のパケットを一時保持した後、該パケットを所定の間隔で出力することにより形成される波長パス交換用トラヒックパターン変更方法法を提案している。
【００１４】
これらの発明によれば、トラヒックパターン変更手段がバッファを備えるとともに、該バッファに入力したトラヒックデータを所定の間隔で出力するため、受信側は、例えば、タイマー等を用いてパケットデータの伝送間隔を計測することによって、容易に特定のパターンデータを検出することができる。
【００１５】
請求項４に係る発明は、請求項１に記載された波長パス交換用トラヒックパターン変更装置について、前記トラヒックパターン変更手段が所定の特殊な構成を有するパケットを記憶する特殊パケット記憶手段を備えるとともに、入力したトラヒックに該特殊パケット記憶手段に記憶された特殊な形態を有するパケットを付加して出力する波長パス交換用トラヒックパターン変更装置を提案している。
【００１６】
また、請求項７に係る発明は、請求項５に記載された波長パス交換用トラヒックパターン変更方法について、前記所定のトラヒックパターンが、予め記憶された所定の特殊な構成を有するパケットを入力トラヒックに付加することにより形成される波長パス交換用トラヒックパターン変更方法を提案している。
【００１７】
これらの発明によれば、トラヒックパターン変更手段が所定のトラヒックパターンを記憶するとともに、入力したトラヒックに記憶してあるトラヒックパターンを付加して出力するため、受信側は、例えば、データテーブル内に格納された所定のトラヒックパターンと入力トラヒックデータとを比較することにより、容易に特定のパターンデータを検出することができる。
【００１８】
【発明の実施の形態】
以下、本発明の実施形態に係る波長パス交換用トラヒックパターン変更装置  について図１から図４を参照して詳細に説明する。
本発明の実施形態に係る波長パス交換用トラヒックパターン変更装置は、図１に示すように、波長パス交換ノード装置２ａおよび２ｂとを備えたＷＤＭ網から構成されている。このＷＤＭ網はポイント・トゥ・ポイント接続の形態をとっている。また、図１に示すＷＤＭ網においては、波長パス始点側の波長パス交換ノード装置（以下、単に、ノード装置と記載する）２ａから波長パス終点側のノード装置２ｂに向う方向に、トラヒックが流れているものと仮定して説明する。
【００１９】
図１より、本実施形態に係るＷＤＭ網は、複数のＩＰルータ１と、ノード装置２ａ、２ｂと、光クロスコネクト装置（ＯＸＣ  ）３ａ、３ｂとから構成されている。ここで、ノード装置２ａ、２ｂは、複数のＩＰルータ１とそれぞれ光ファイバケーブルで接続されている。また、ノード装置２ａは、半固定の波長パスを設定するＯＸＣ３ａと光ファイバケーブルで接続されている。さらに、ＯＸＣ３ａは対向するＯＸＣ３ｂと光ファイバケーブルで接続されている。同様に、ノード装置２ｂは、ＯＸＣ３ｂと光ファイバケーブルで接続されるとともに、複数のルータ１とそれぞれ光ファイバケーブルで接続されている。
【００２０】
ノード装置２ａは、各ルータ１からの入力トラヒックを複数の波長パスに割付けてＯＸＣ３ａに出力し、ＯＸＣ３ａは、入力された各波長パスのトラヒックを多重してＯＸＣ３ｂに送信する。また、ＯＸＣ３ｂは、ＯＸＣ３ａから受信した各波長パスのトラヒックを分離してノード装置２ｂに出力し、ノード装置２ｂは、入力された複数の波長パスのトラヒックをそれぞれ対応するルータ１に出力する。
【００２１】
ノード装置２ａは、パケット分配部１１と、光スイッチ１２（波長パス交換手段）と制御部１３とから構成されている。パケット分配部１１は、ルータ１の各々に対応して設けられており、対応するルータ１からの入力トラヒックのパケットを、半固定の波長パスである初期パスと動的割当用の波長パスである追加パスとに分類する。初期パスに分配されたパケットは、光スイッチ１２の初期パス用入力ポートへ出力される。一方、追加パスに分配されたパケットは、光スイッチ１２の追加パス用入力ポートに出力される。
【００２２】
光スイッチ１２は、制御部１３からの波長パス交換設定に従って、波長パスの交換を行う。初期パス用入力ポートの入力パケットについては、初期設定された初期パス用出力ポートへ出力される。この初期パス用入力ポートと初期パス用出力ポートとの接続関係は、半固定的に設定される。また、追加パス用入力ポートの入力パケットについては、適宜設定された追加パス用出力ポートへ出力される。この追加パス用入力ポートと追加パス用出力ポートとの接続関係は、動的に設定される。さらに、各出力ポートにおいては、所定の波長への変換が行われ、接続されているＯＸＣ３ａに出力される。
【００２３】
制御部１３は、後述するパケット制御部３３からの特定パターン検出信号により波長パスの割付および波長パス交換の制御を行う。また、パケット制御部３３に対して、追加パス制御信号を出力して、パスの追加ができないことを知らせる。
【００２４】
本発明の実施形態に係るルータ１は、図２に示すように、パケットスイッチ１４と、Ｏ／Ｅ（Ｏ／Ｅ：光−電気変換器）１５と、トラヒック量検出手段１６と、比較器１７と、記憶手段１８と、トラヒックパターン変更装置１９と、トラヒックパターン記憶装置２０とから構成されている。パケットスイッチ１４は、パケットデータを光のまま高速に伝送する素子であり、パケットに最も効率的な経路を割り当て、さまざまな接続による通信チャネルの共有を可能にする。Ｏ／Ｅ１５は、ネットワーク上を光信号で伝送してきたパケットデータを電気信号に変換するための素子である。
【００２５】
トラヒック量検出装置１６は、パケットスイッチ１４およびＯ／Ｅを介して伝送されるトラヒックの所定時間当たりの伝送量を検出する。比較手段１７は、トラヒック量検出装置１６において検出されたトラヒック量と記憶装置１８に格納されているトラヒック量に関する閾値とを比較して、その結果をトラヒックパターン変更装置１９に出力する。
【００２６】
トラヒックパターン変更装置１９は、比較器の出力信号によりトラヒックパターンを変更する装置であり、変更の方法としては、例えば、バッファを用いて、パケットの伝送間隔を制御する方法や特殊なパケットをトラヒック内に挿入する方法などが考えられる。バッファを用いる方法としては、パケットを一旦バッファ内に蓄積して、例えば、トラヒックをパケット間の間隔が一定になるように伝送したり、あるいは、いくつか固めてパケットを伝送するなど、自動発生的に生じる伝送パターンとは異なるパターンに変換する方法が考えられる。このような方法では、パケット間の間隔を様々に変化させることにより、情報を符号化して伝送することができる。
【００２７】
一方、特殊なパケットをトラヒック内に挿入する方法としては、本来のパケットの間にダミーパケットを挿入して特定のパターンを生成する方法や、通常のパケットとはサイズの異なるパケットやパケット内のデータがフルビットで構成されているパケット等を挿入して特定のパターンを生成する方法などがある。また、上記の各方法を組み合わせた方法であってもよい。なお、上記のダミーパケットやサイズの異なるパケット、パケット内のデータがフルビットで構成されているパケットなどは、トラヒックパターン記憶装置２０に格納されており、比較器１７の出力信号に応じて、適宜、適当なパケットが選択されてトラヒック内に挿入される。
【００２８】
なお、トラヒックパターン変更装置１９は、送信側ノードのトラヒックパターン抽出手段よりもトラックソースに近いポイントに配置される。したがって、本実施形態のように、トラヒックパターンの抽出を送信側波長パス交換機で行う場合には、送信側ルータ内や波長パス交換機の入力ポートとトラヒックパターン抽出手段の間に、また、トラヒックパターンの抽出を送信側ルータで行う場合には、送信側ルータ内の入力ポートとトラヒックパターン抽出手段の間に配置される。
【００２９】
次に、図３を用いて、パケット分配部１１について詳細に説明する。パケット分配部１１は、図３に示すように、トラヒックパターン抽出手段３１と、バッファ３２と、パケット送出制御部３３と、Ｅ／Ｏ（Ｅ／Ｏ：電気−光変換器）３４とから構成されている。Ｅ／Ｏ３４は、初期パスと追加パスの各々に対応して設けられており、初期パス用Ｅ／Ｏ３４の光出力は、光スイッチ１２の初期パス用入力ポートに接続されている。また、各追加パス用Ｅ／Ｏ３４の光出力は、光スイッチ１２に対応する追加パス用入力ポートにそれぞれ接続されている。
【００３０】
トラヒックパターン抽出手段３１は、ルータ１から伝送してきたトラヒック内から特定のトラヒックパターンを抽出し、特定のトラヒックパターンが抽出されたときは、パケット送出制御部３３に信号を出力する。信号を入力したパケット送出制御部３３は、制御部１３に特定パターン検出信号を送信する。パケット送出制御部３３は、バッファ３２からパケットを取り出して、初期パス用Ｅ／Ｏ３４あるいは追加パス用Ｅ／Ｏ３４に出力する。また、各Ｅ／Ｏ３４は、入力されたパケットを電気信号から光信号に変換して、光スイッチ１２の各々に接続されている入力ポートに出力する。
【００３１】
次に、ノード装置２ｂの構成および動作について詳細に説明する。
ノード装置２ｂは、図１に示すように、監視部２１と、光スイッチ２２と、制御部２３とから構成されている。光スイッチ２２は、制御部２３からの波長パス交換設定に従って波長パスの交換を行う。また、光スイッチ２２には、ＯＸＣ３ｂから各波長パスのトラヒックが分離されて入力される。ここで、初期パスのパケットは所定の初期パス用入力ポートに入力され、追加パスのパケットは、所定の追加パス用入力ポートに入力される。
【００３２】
初期パス用入力ポートの入力パケットは、送達先のルータ１用に初期設定された初期パス用出力ポートに出力される。この初期パス用入力ポートと初期パス用出力ポートの接続関係は、半固定的に設定される。追加パス用入力ポートの入力パケットは、送達先のルータ１用に適宜設定された追加ポート用出力ポートに出力される。この追加パス用入力ポートと追加パス用出力ポートの接続関係は、能動的に設定される。また、各出力ポートにおいては、所定の波長への変換が行われ、各ポートの出力は、それぞれ対応する監視部２１に接続されている。
【００３３】
監視部２１には、対応するルータ１に送達すべきトラヒックのパケットが入力される。監視部２１は、図４に示すように、パケット検出部４１と、特定パターン検出部４２と、合波部４３とから構成されている。パケット検出部４１は、初期パスと追加パスの各々に対応して設けられている。初期パス用パケット検出部４１の光入力は、光スイッチ１２の初期パス用出力ポートに接続され、各追加パス用パケット検出部４１の光入力は、光スイッチ１２の対応する追加パス用出力ポートにそれぞれ接続されている。
【００３４】
パケット検出部４１には、図示しないＯ／Ｅ部が備えられており、光スイッチ２２から入力したパケットを光信号から電気信号に変換している。電気信号に変換された信号は、特定パターン検出部４２により、トラヒック内に特定パターンが存在するか否かが検出され、特定パターンが検出されたときには、制御部２３に対して、特定パターン検出信号が出力される。制御部２３は、特定パターン検出部から特定パターン検出信号を入力すると、波長パスの割付および波長パス交換の制御を行う。また、各波長パスのパケットは、それぞれパケット検出部４１を介して、合波部４３に入力され、入力されたパケットは、図示しないＥ／Ｏ部において光信号に変換されるとともに、合波部４３において合波されてルータ１に出力される。
【００３５】
上述したように、本実施形態によれば、トラヒック量の増減を特殊なパケットによるのではなく、特定のパターンによって伝送するため、パケットの喪失による不具合がなく、送信側から受信側に的確にトラヒック量の増減を通知することができる。
【００３６】
以上、図面を参照して本発明の実施形態について詳述してきたが、具体的な構成はこれらの実施の形態に限られるものではなく、この発明の要旨を逸脱しない範囲の設計変更等も含まれる。例えば、本実施形態においては、受信側での特定パターンの処理について言及しなかったが、例えば、トラヒックをバッファに蓄積して、受信側のパターン検出手段により特定パターンを検出したときは、その特定パターンの中から特殊なパケットを抜き去る処理を行うようにしてもよい。
【００３７】
また、特定パターンの生成について、パケットを所定の間隔で送信する例について説明したが、予めパケットの伝送間隔が決まっている特定パターンを伝送し、受信側で検出したパケット間の間隔と、送信時の間隔の差異により、伝送路の特性を推測して、受信側の入力トラヒックに補正をかけるような構成としてもよい。
【００３８】
また、本実施形態においては、トラヒック量検出手段およびトラヒックパターン変更装置をルータ側に配置する例について説明したが、これらを波長パス交換ノード装置側に構成してもよい。この場合、制御部へ出力信号は、比較器の出力を共用すればよいため、パケット分配部内のトラヒックパターン抽出手段を削除することができる。
【００３９】
さらに、上述した実施形態においては、パケット分配部において、入力される光信号を電気信号に変換してパケットのバッファリングおよび分配を行うようにしたが、これを光信号のまま処理するようにしてもよい。図５に、光入力のパケットをそのままバッファリングおよび分配するパケット分配部１１のブロック構成を示す。図５に示すように、バッファ３２ａは光入力のパケットを光信号のまま蓄積する光バッファである。パケット送出制御部３３ａは、バッファ３２ａからパケットを取り出して、初期パスと追加パスへ分配を行う。これにより、ルータ１からの光入力のパケットは、光信号のまま、分配先の波長パスに対応する光スイッチ１２の入力ポートに出力される。したがって、図５に示す実施形態によれば、光−電気変換および電気−光変換による変換ロスを減少させ、光交換の効率を向上させることができる。
【００４０】
【発明の効果】
以上のように、この発明によれば、送信側および受信側の波長パス切替に関するトリガ検出を特定パターンにより行うこととしたことから、送信側および受信側のノードにおけるトリガ検出の不整合や伝送エラーの発生確率を低減させることができるという効果がある。
【図面の簡単な説明】
【図１】本発明の実施形態に係るＷＤＭ網の構成図である。
【図２】本発明の実施形態に係るルータの構成図である。
【図３】本発明の実施形態に係るパケット分配部の構成図である。
【図４】本発明の実施形態に係る監視部の構成図である。
【図５】光入力のパケットをそのままバッファリング等する場合のパケット分配部の構成図である。
【符号の説明】
１・・・ＩＰルータ１、２ａ、２ｂ・・・ノード装置、３ａ、３ｂ・・・光クロスコネクト装置、１１、２１・・・パケット分配部、１２、２２・・・光スイッチ、１３、２３・・・制御部、１４・・・パケットスイッチ、１５・・・Ｏ／Ｅ、１６・・・トラヒック量検出手段、１７・・・比較器、１８・・・記憶手段、１９・・・トラヒックパターン変更装置、２０・・・トラヒックパターン記憶装置、３１、３１ａ・・・トラヒックパターン抽出手段、３２、３２ａ・・・バッファ、３３、３３ａ・・・パケット送出制御部、３４・・・Ｅ／Ｏ、４１・・・パケット検出部、４２・・・特定パターン検出部、４３・・・合波部、
【図１】
2004266451.tif 000003
【図２】
2004266451.tif 000004
【図３】
2004266451.tif 000005
【図４】
2004266451.tif 000006
【図５】
2004266451.tif 000007